(57)【要約】【目的】  下段の樹脂瓦に設けられた後端リブを跨ぐように固定金具を取り付け、当該固定金具を介して上段の樹脂瓦先端部分を下段の樹脂瓦後端部分に重ねて瓦葺きする際に、後端リブが固定金具の跨ぎ部から応力を受けても無理な変形を起こさないようにした瓦葺き構造および樹脂瓦を提供する。【構成】  後端リブ（１２）が、固定金具（３）の跨ぎ部（３３）から応力を受けた際にその応力によって変形可能な弾性部を予め有している。【選択図】図１
2005155113.tif 000002
【特許請求の範囲】
【請求項１】
下段の樹脂瓦に設けられた後端リブを跨ぐように固定金具を取り付け、当該固定金具を介して上段の樹脂瓦先端部分を下段の樹脂瓦後端部分に重ねて瓦葺きする瓦葺き構造であって、
樹脂瓦の後端リブが、固定金具の跨ぎ部から応力を受けた際にその応力によって変形可能な弾性部を有していることを特徴とする瓦葺き構造。
【請求項２】
前記後端リブの弾性部が、左右固定端から離間した位置に縦方向の隙間溝を有するリブ片で構成されていることを特徴とする請求項１記載の瓦葺き構造。
【請求項３】
前記後端リブの弾性部が、右端が固定端、左端が自由端となった第１リブ片、および左端が自由端、右端が固定端となった第２リブ片とを互いに前後して設けてなる二重リブ片で構成されていることを特徴とする請求項１記載の瓦葺き構造。
【請求項４】
前記後端リブの弾性部が、左右固定端に縦方向の半隙間溝を有する長尺のリブ片で構成されていることを特徴とする請求項１記載の瓦葺き構造。
【請求項５】
前記後端リブが防水リブであることを特徴とする請求項１ないし４のいずれかに記載の瓦葺き構造。
【請求項６】
屋根上にて重ね葺きされる際に固定金具が跨がるように取り付けられる後端リブを有する樹脂瓦であって、
後端リブが、固定金具の跨ぎ部から応力を受けた際にその応力によって変形可能な弾性部を有していることを特徴とする樹脂瓦。
【請求項７】
前記後端リブの弾性部が、左右固定端から離間した位置に縦方向の隙間溝を有するリブ片で構成されていることを特徴とする請求項６記載の樹脂瓦。
【請求項８】
前記後端リブの弾性部が、右端が固定端、左端が自由端となった第１リブ片、および左端が自由端、右端が固定端となった第２リブ片とを互いに前後して設けてなる二重リブ片で構成されていることを特徴とする請求項６記載の樹脂瓦。
【請求項９】
前記後端リブの弾性部が、左右固定端に縦方向の半隙間溝を有する長尺のリブ片で構成されていることを特徴とする請求項６記載の樹脂瓦。
【請求項１０】
前記後端リブが防水リブであることを特徴とする請求項６ないし９のいずれかに記載の樹脂瓦。
【発明の詳細な説明】
【技術分野】
【０００１】
この出願の発明は、上段の樹脂瓦の先端部分を下段の樹脂瓦の後端部分に重ねて瓦葺きする際に有用な瓦葺き構造および樹脂瓦に関するものである。
【背景技術】
【０００２】
従来、瓦を屋根に葺く際に耐風性を確保すべく、瓦が風により浮上らないように瓦裏面への風の吹込みを抑制したり、瓦自体を強固に固定したりする対策を施すことが各種提案されている（たとえば特許文献１，２，３参照）。
【０００３】
しかしながら、これら特許文献に記載のいずれの従来技術も、瓦表面に流れる空気の流れによる浮上り力については何等考慮していない。すなわち、仮に瓦裏面への吹込みの抑制や強固な固定を行うことができたとしても、瓦表面に生じる乱気流による浮上り力によって瓦が浮上り易くなるのである。また、施工状態によっては瓦裏面に空気が流入してしまうことも考えられ、結局は瓦裏面からの押上げ力と瓦表面の浮上り力との相乗効果が働き、瓦が余計に浮き上がり易くなる。特に、軽量な樹脂瓦にあっては、浮上り対策をより慎重に検討する必要がある。
【０００４】
そこで、この出願の発明の発明者は、たとえば図６に例示したように、樹脂瓦（１）と野地板等の屋根下地材（２）との間に空気流路（５）を形成させ、且つ樹脂瓦（１）の裏面には水平方向の補強リブ（１１）を設けておくようにした耐風性能の高い瓦葺き構造を見出した。これによれば、樹脂瓦（１）の裏面に上記空気流路（５）にて空気Ａが入り込んで流れると、補強リブ（１１）によって回流Ｂが発生して下向きの応力が生じ、これが樹脂瓦（１）裏面での引下げ力（引張り力とも呼べる）Ｆとなり、この引下げ力Ｆによって樹脂瓦（１）の浮上りを効果的に抑制することができる。
【０００５】
この瓦葺き構造についてさらに説明すると、たとえば図７（ａ）（ｂ）に拡大例示したように、まず下段の樹脂瓦（１）の後端部分にその長手方向に沿っての後端リブ（１２）を設け、且つ後端リブ（１２）よりも棟側位置にネジ用穴（１３）を設けておき、この下段の樹脂瓦（１）を野地板等の屋根下地材（２）上に載置させた後、後端リブ（１２）を跨ぐように固定金具（３）を取り付け、固定ネジ（４）を固定金具（３）の後端に設けられたネジ用穴（３２）から樹脂瓦（１）のネジ用穴（１３）を通して屋根下地材（２）にねじ込むことで、固定金具（３）とともに下段の樹脂瓦（１）の後端部分を屋根下地材（２）に固定させる。続いて、図６に例示したように、上段の樹脂瓦（１）を、その先端部分を固定金具（３）の先端に設けられた引掛け部（３１）に引っ掛けるようにして載置する。後はこれら一連の作業を繰り返すことで、樹脂瓦（１）を軒先側から棟側へと重ね葺いていく。
【特許文献１】特開２０００−８０７５９号公報
【特許文献２】特開２００１−１０７５１１号公報
【特許文献３】特開２００１−３０３７２０号公報
【発明の開示】
【発明が解決しようとする課題】
【０００６】
しかしながら、上記のとおりに優れた耐風性を実現する瓦葺き構造にあっても、それに用いられる上記固定金具（３）および樹脂瓦（１）の上記後端リブ（１２）との関係について、この出願の発明の発明者が更なる検討を行ったところ、実際の使用においては樹脂瓦（１）の熱膨張収縮の発生が考えられ、このとき、たとえば図８に例示したように上段の樹脂瓦（１）が軒先方向に膨張あるいは収縮したり、下段の樹脂瓦（１）が棟方向に膨張あるいは収縮したり、あるいはそれら両方が発生したりすると、下段の樹脂瓦（１）の後端リブ（１２）が、固定金具（３）の跨ぎ部（３３）から応力を受けて無理な変形を起こすのではとの懸念事項が見出された。
【０００７】
そこで、以上のとおりの事情に鑑み、この出願の発明は、上記後端リブ（１２）が固定金具（３）の跨ぎ部（３３）から応力を受けても無理な変形を起こさないようにした瓦葺き構造および樹脂瓦を提供することを課題としている。
【課題を解決するための手段】
【０００８】
この出願の発明は、上記の課題を解決するものとして、第１には、下段の樹脂瓦に設けられた後端リブを跨ぐように固定金具を取り付け、当該固定金具を介して上段の樹脂瓦先端部分を下段の樹脂瓦後端部分に重ねて瓦葺きする瓦葺き構造であって、樹脂瓦の後端リブが、固定金具の跨ぎ部から応力を受けた際にその応力によって変形可能な弾性部を有していることを特徴とする瓦葺き構造を提供する。
【０００９】
第２には、前記後端リブの弾性部が、左右固定端から離間した位置に縦方向の隙間溝を有するリブ片で構成されていることを特徴とする前記瓦葺き構造を提供する。
【００１０】
第３には、前記後端リブの弾性部が、右端が固定端、左端が自由端となった第１リブ片、および左端が自由端、右端が固定端となった第２リブ片とを互いに前後して設けてなる二重リブ片で構成されていることを特徴とする前記瓦葺き構造を提供する。
【００１１】
第４には、前記後端リブの弾性部が、左右固定端に縦方向の半隙間溝を有する長尺のリブ片で構成されていることを特徴とする前記瓦葺き構造を提供する。
【００１２】
第５には、前記後端リブが防水リブであることを特徴とする前記瓦葺き構造を提供する。
【００１３】
第６には、屋根上にて重ね葺きされる際に固定金具が跨がるように取り付けられる後端リブを有する樹脂瓦であって、後端リブが、固定金具の跨ぎ部から応力を受けた際にその応力によって変形可能な弾性部を有していることを特徴とする樹脂瓦を提供する。
【００１４】
第７には、前記後端リブの弾性部が、左右固定端から離間した位置に縦方向の隙間溝を有するリブ片で構成されていることを特徴とする前記樹脂瓦を提供する。
【００１５】
第８には、前記後端リブの弾性部が、右端が固定端、左端が自由端となった第１リブ片、および左端が自由端、右端が固定端となった第２リブ片とを互いに前後して設けてなる二重リブ片で構成されていることを特徴とする前記樹脂瓦を提供する。
【００１６】
第９には、前記後端リブの弾性部が、左右固定端に縦方向の半隙間溝を有する長尺のリブ片で構成されていることを特徴とする前記樹脂瓦を提供する。
【００１７】
第１０には、前記後端リブが防水リブであることを特徴とする前記樹脂瓦を提供する。
【発明の効果】
【００１８】
上記第１の瓦葺き構造によれば、予め変形可能とされた弾性部の存在によって、固定金具の跨ぎ部からの応力をその弾性部が変形することで逃がすことができるため、後端リブの無理な変形が効果的に抑制され、よって固定金具自体に支障が生じなくなるのはもちろんのこと、それによる瓦固定も良好に維持できることとなる。
【００１９】
上記第２〜第４の瓦葺き構造によれば、上記第１の構造と同様な効果が得られる。
【００２０】
上記第５の瓦葺き構造によれば、上記第１〜第４の構造と同様な効果が得られ、また、防水リブとして機能する後端リブを固定金具の取り付けに用いる場合や、その逆に取付リブとして機能する後端リブを防水リブとしても用いる場合などに適用できる瓦葺き構造が実現される。
【００２１】
上記第６の樹脂瓦によれば、予め変形可能とされた弾性部の存在によって、固定金具の跨ぎ部からの応力をその弾性部が変形することで逃がすことができるため、後端リブの無理な変形が効果的に抑制されることとなり、よって仮に熱膨張収縮が発生したとしても固定金具を介した良好な重ね瓦葺きを維持できる樹脂瓦が実現される。
【００２２】
上記第７〜第９の樹脂瓦によれば、上記第６の樹脂瓦と同様な効果が得られる。
【００２３】
上記第１０の樹脂瓦によれば、上記第６〜第９の樹脂瓦と同様な効果が得られ、また、防水リブとして機能する後端リブを固定金具の取り付けに用いる樹脂瓦や、その逆に取付リブとして機能する後端リブを防水リブとして用いる樹脂瓦などにも上記弾性部構成を適用させることができる。
【発明を実施するための最良の形態】
【００２４】
［第１の実施形態］
図１および図２（ａ）（ｂ）は、各々、この出願の発明の一実施形態を示したものである。
【００２５】
本実施形態では、まず、前述したこの出願の発明の発明者が見出した従来の瓦葺き構造と同様に、下段の樹脂瓦（１）に設けられた後端リブ（１２）を跨ぐように固定金具（３）を取り付け、当該固定金具（３）を介して上段の樹脂瓦（１）先端部分を下段の樹脂瓦（１）後端部分に重ねて瓦葺きするようになっている（図６も参照）。より具体的には、上段の樹脂瓦（１）先端部分を下段の樹脂瓦（１）後端部分に重ねて瓦葺きする際に、下段の樹脂瓦（１）に設けられた後端リブ（１２）を跨ぐように固定金具（３）を取り付け、当該固定金具（３）を介して下段の樹脂瓦（１）後端部分を屋根下地材（２）にネジ固定させるとともに上段の樹脂瓦（１）先端部分を下段の樹脂瓦（１）後端部分に固定させるようにしている。
【００２６】
かかる瓦葺き構造にあっては、前述したように、樹脂瓦（１）が熱膨張収縮した際に後端リブ（１２）が固定金具（３）の跨ぎ部（３３）から応力を受けることが考えられる。
【００２７】
そこで、この応力に対応させるべく、樹脂瓦（１）の後端リブ（１２）が、固定金具（３）の跨ぎ部（３３）から応力を受けた際にその応力によって変形可能な弾性部を有するものとなっている。
【００２８】
これにより、変形可能な弾性部を後端リブ（１２）に予め設けておくことで、仮に樹脂瓦（１）が熱膨張収縮し、それに伴い固定金具（３）の跨ぎ部（３３）が位置変動することで、この跨ぎ部（３３）に接触している後端リブ（１２）に応力が働いたとしても、その弾性部が応力を受けて予め想定された変形を行うため、無理な変形の発生を効果的に抑制できることとなる。固定金具（３）の引掛け部（３１）に加わる応力（図８参照）も軽減させることができる。
【００２９】
図１におけるこの弾性部は、より具体的には、左右固定端から離間した位置に縦方向の隙間溝（１２１ａ）を有するリブ片（１２１）で構成されている。略中央位置に設けられた隙間溝（１２１ａ）を間にして対向する一対のリブ片（１２１）で構成されているとも言える。固定金具（３）は、その跨ぎ部（３３）が隙間溝（１２１ａ）とともにリブ片（１２１）全体を跨ぐようにして取り付けられ（図２（ａ）参照）、跨ぎ部（３３）の位置変動により受ける応力に従って前後に変形可能となっている。
【００３０】
なお、図１におけるリブ片（１２１）は、少なくともそれに跨がる跨ぎ部（３３）の幅分のかかり幅Ｗを有している。
【００３１】
また、リブ片（１２１）は、跨ぎ部（３３）が跨いだ際にその上面がリブ片（１２１）の上辺と略同一高さとなる、あるいは上辺よりも低くなるように、少なくとも跨ぎ部（３３）の厚み分だけ、両側の後端リブ（１２）よりも低い高さＨを有している。この高さ形状については、図１ではリブ片（１２１）が周囲よりも凹んだ形状となっているが（かかり凹部を有するとも言える)、たとえば図２（ａ）（ｂ）に例示したように両側の後端リブ（１２）の上辺が傾斜して徐々に低くなる形状としてもよい。図２（ｂ）では跨ぎ部（３３）の上面とリブ片（１２１）の上辺とが略同一高さとなっている。
【００３２】
［第２の実施形態］
後端リブ（２）の弾性部については、たとえば図３および図４に例示したように、右端が固定端、左端が自由端となった第１リブ片（１２２ａ）、および左端が自由端、右端が固定端となった第２リブ片（１２２ｂ）とを互いに前後して設けてなる二重リブ片（１２２）で構成されていてもよい。
【００３３】
この二重リブ片（１２２）によれば、跨ぎ部（３３）から応力を受けると第１リブ片（１２２ａ）および第２リブ片（１２２ｂ）が前後に動いて、その応力を逃がし、後端リブ（１２）の無理な変形を防ぐことができる。
【００３４】
この二重リブ片（１２２）も、少なくとも跨ぎ部（３３）の幅分のかかり幅Ｗを有しており、また少なくとも跨ぎ部（３３）の厚み分だけ両側の後端リブ（１２）よりも低い高さＨを有している。この高さ形状については、図３では二重リブ片（１２２）が周囲よりも凹んだ形状となっているが（凹みかかり部を有するとも言える)、たとえば図４に例示したように第１リブ片（１２２ａ）および第２リブ片（１２２ｂ）それぞれの固定端側の後端リブ（１２）が傾斜して徐々に低くなる形状としてもよい。
【００３５】
［第３の実施形態］
またさらに、後端リブ（１２）の弾性部は、たとえば図５に例示したように、左右固定端に縦方向の半隙間溝（１２３ａ）（１２３ｂ）を有する長尺リブ片（１２３）で構成されたものとすることもできる。
【００３６】
この長尺リブ片（１２３）によれば、長尺板の両側に位置する半隙間溝（１２３ａ）（１２３ｂ）の存在により、跨ぎ部（３３）からの応力によって上半分が前後に縒れ変形することとなり、この変形により応力を逃がして後端リブ（１２）の無理な変形を防ぐことができる。
【００３７】
この長尺リブ片（１２３）は、上記第１〜第４におけるリブ片（１２１）および二重リブ片（１２２）とは異なり、長尺板体であるので、それ自体がかかり幅Ｗおよび高さＨとなっているのではなく、かかり幅Ｗおよび高さＨ’を有するかかり凹部（１２３ｃ）（被跨ぎ凹部とも呼べる）を略中央位置に有するものとなっている。この場合のＷは少なくとも跨ぎ部（３３）の幅分となって上記と同様であるが、Ｈ’は少なくとも跨ぎ部（３３）の厚み分となる。
【００３８】
［後端リブ＝防水リブ］
なお、以上の各種形状・構成の弾性部を有する後端リブ（１２）については、雨水の浸入を防ぐ防水リブとしての役割を担ったものも考慮でき、この防水リブとしての後端リブ（１２）に上記各種弾性部による変形自在構造を採用しても、防水性能は確保できる。図１および図２ではリブ片（１２１）に隙間溝（１２１ａ）が設けられているものの、その上に固定金具（３）の跨ぎ部（３３）が跨がるので、雨水は隙間溝（１２１ａ）へ容易には辿り着かない。また図３および図４では２枚の分離した第１リブ片（１２２ａ）および第２リブ片（１２２ｂ）によりなる二重リブ片（１２２）となっているものの、やはり固定金具（３）の跨ぎ部（３３）によって雨水が二重リブ片（１２２）間までは辿り着き難い。またさらに図５では、長尺リブ片（１２３）の左右端に半隙間溝（１２３ａ）（１２３ｂ）が設けられているものの、それらは図１における隙間溝（１２１ａ）のような根元まで開口したものではなく、半隙間溝（１２３ａ）（１２３ｂ）よりも下方部分にて雨水を堰き止めることができる。したがって、いずれの構成によっても十分な防水性能を維持できるのである。
【００３９】
なお、図５における半隙間溝（１２３ａ）（１２３ｂ）は、長尺リブ片（１２３）のちょうど半分の高さに限定されるものではなく、応力を受けた際の縒れ変形ならびに防水機能を確保できる高さであれば半分以下でも半分以上であってもよい。
【００４０】
もちろん、この出願の発明は以上の実施形態に限定されるものではなく、細部については様々な態様が可能である。
【産業上の利用可能性】
【００４１】
以上詳しく説明した通り、この出願の発明によって、下段の樹脂瓦に設けられた後端リブを跨ぐように固定金具を取り付け、当該固定金具を介して上段の樹脂瓦先端部分を下段の樹脂瓦後端部分に重ねて瓦葺きする際に、後端リブが固定金具の跨ぎ部から応力を受けても無理な変形を起こさないようにした瓦葺き構造および樹脂瓦が提供される。
【図面の簡単な説明】
【００４２】
【図１】この出願の発明の第１の実施形態を示した前方斜視図である。
【図２】この出願の発明の別の第１の実施形態を示した図であり、（ａ）は固定金具取付け前の状態を示した斜視図、（ｂ）は固定金具取付け後の状態を示した簡略正面図である。
【図３】この出願の発明の第２の実施形態を示した前方斜視図である。
【図４】この出願の発明の別の第２の実施形態を示した前方斜視図である。
【図５】この出願の発明の第３の実施形態を示した前方斜視図である。
【図６】この出願の発明の発明者が見出した従来の瓦葺き構造について説明するための断面図である。
【図７】（ａ）（ｂ）は、各々、図６の瓦葺き構造にて用いられる固定金具および樹脂瓦の後端リブについて説明するための図である。
【図８】図６の瓦葺き構造にて樹脂瓦の熱膨張収縮が発生した際の後端リブにかかる応力ついて説明するための図である。
【符号の説明】
【００４３】
１  樹脂瓦
１１  補強リブ
１２  後端リブ
１２１  リブ片
１２１ａ  隙間溝
１２２  二重リブ片
１２２ａ  第１リブ片
１２２ｂ  第２リブ片
１２３  長尺リブ片
１２３ａ，１２３ｂ  隙間溝
１２３ｃ  かかり凹部
１３  ネジ用穴
２  屋根下地材
３  固定金具
３１  引掛け部
３２  ネジ用穴
３３  跨ぎ部
４  固定ネジ
５  空気流路
【図１】
2005155113.tif 000003
【図２】
2005155113.tif 000004
【図３】
2005155113.tif 000005
【図４】
2005155113.tif 000006
【図５】
2005155113.tif 000007
【図６】
2005155113.tif 000008
【図７】
2005155113.tif 000009
【図８】
2005155113.tif 000010